(57)【要約】【課題】  携帯端末のユーザが自己の好みの画像を携帯端末に容易に取り込む。【解決手段】  画像供給装置１００は、スキャニングにより画像を抽出する画像抽出部１０２と、画像抽出部で抽出された画像をＪＰＥＧフォーマット、ＱＶＧＡサイズの画像に変換する画像変換部１０４と、スキャナからの画像の抽出を開始させる指示や電子メールアドレス等を入力するボタンやソフトキーを備えた入力部１０６と、画像を添付ファイルとして携帯電話１１０へ電子メールで送信し、確認メールを送信し、不達メールを受信する通信部１０８と、この画像供給装置１００の全体を制御する制御部１２０とを含む。【選択図】        図１
2006318122.tif 000002
【特許請求の範囲】
【請求項１】
携帯端末で表示する画像を供給する装置であって、
前記携帯端末を特定するための特定手段と、
前記供給される画像のサイズおよびフォーマットの少なくともいずれかを、予め定められた唯一の態様に変換するための変換手段と、
前記変換手段に接続され、前記特定された前記携帯端末に前記変換された画像を表すデータを送信するための送信手段とを含む、画像供給装置。
【請求項２】
前記変換手段は、前記供給される画像のフォーマットを、ＪＰＥＧフォーマットに変換するための手段を含む、請求項１に記載の画像供給装置。
【請求項３】
前記変換手段は、前記供給される画像のサイズを、ＱＶＧＡサイズに変換するための手段を含む、請求項１または２に記載の画像供給装置。
【請求項４】
前記特定手段は、電子メールアドレスによって前記携帯端末を特定するための手段を含む、請求項１〜３のいずれかに記載の画像供給装置。
【請求項５】
前記特定手段は、前記携帯端末のユーザにより再入力された電子メールアドレスによって前記携帯端末を特定するための手段を含む、請求項４に記載の画像供給装置。
【請求項６】
前記特定手段は、前記電子メールアドレスに確認メールを送信したことに応答して、前記確認メールが送信できなかったという返信を受信した場合において、前記携帯端末のユーザにより再入力された電子メールアドレスによって前記携帯端末を特定するための手段を含む、請求項４に記載の画像供給装置。
【請求項７】
前記送信手段は、前記変換された画像が添付された電子メールを送信することにより、画像を送信するための手段を含む、請求項１〜６のいずれかに記載の画像供給装置。
【請求項８】
前記画像供給装置は、画像を抽出するための抽出手段をさらに含む、請求項１〜７のいずれかに記載の画像供給装置。
【請求項９】
前記抽出手段は、記録媒体から前記画像を抽出するための手段を含む、請求項８に記載の画像供給装置。
【請求項１０】
前記記録媒体は、メモリカードである、請求項９に記載の画像供給装置。
【請求項１１】
前記抽出手段は、スキャナにより前記画像を抽出するための手段を含む、請求項８に記載の画像供給装置。
【請求項１２】
前記抽出手段は、前記抽出する画像が前記スキャナにセットされたことが完了したことに応答して、画像の抽出を開始するための手段を含む、請求項１１に記載の画像供給装置。
【請求項１３】
前記抽出手段は、前記画像供給装置に設けられたボタンおよびソフトキーの少なくとも一方に対する指示に応答して、画像の抽出を開始するための手段を含む、請求項８〜１１のいずれかに記載の画像供給装置。
【請求項１４】
携帯端末で表示する画像を供給する装置であって、
前記携帯端末を特定するための特定手段と、
前記供給される画像のサイズおよびフォーマットの少なくともいずれかを、予め定められた唯一の態様に変換するための変換手段と、
前記変換手段に接続され、前記特定された前記携帯端末に前記変換された画像を送信するための送信手段と、
前記画像を抽出するための抽出手段とを含み、
前記抽出手段は、前記スキャナにより前記画像を抽出するための手段と、前記抽出する画像が前記スキャナにセットされたことに応答して、画像の抽出を開始するための手段を含み、
前記装置は、前記画像の抽出が開始されると、自動的に、画像を抽出して前記抽出された画像を変換して前記特定された携帯端末に前記変換された画像を送信するように前記抽出手段、前記変換手段、前記特定手段、前記送信手段を制御するための制御手段をさらに含む、画像供給装置。
【請求項１５】
携帯端末で表示する画像を供給する装置であって、
前記携帯端末を特定するための特定手段と、
前記供給される画像のサイズおよびフォーマットの少なくともいずれかを予め定められた唯一の態様に変換するための変換手段と、
前記変換手段に接続され、前記特定された前記携帯端末に前記変換された画像を送信するための送信手段と、
画像を抽出するための抽出手段とを含み、
前記抽出手段は、記録媒体から前記画像を抽出するための手段を含み、
前記記録媒体は、メモリカードであることを含み、
前記抽出手段は、スキャナにより前記画像を抽出するための手段を含み、
前記抽出手段は、前記画像供給装置に設けられたボタンおよびソフトキーの少なくとも一方に対する指示に応答して、画像の抽出を開始するための手段を含み、
前記装置は、前記画像の抽出が開始されると、自動的に、画像を抽出して前記抽出された画像を変換して前記特定された携帯端末に前記変換された画像を送信するように前記抽出手段、前記変換手段、前記特定手段、前記送信手段を制御するための制御手段をさらに含む、画像供給装置。
【請求項１６】
前記画像供給装置は、
前記画像を表示するための表示手段と、
前記表示された画像を前記携帯端末に送信するか否かを選択するための選択手段とをさらに含む、請求項１〜１５のいずれかに記載の画像供給装置。
【請求項１７】
前記携帯端末は、携帯電話である、請求項１〜１６のいずれかに記載の画像供給装置。
【発明の詳細な説明】
【技術分野】
【０００１】
本発明は、画像供給装置に関し、特に、携帯端末（携帯電話）で表示する画像を容易に供給することができる画像供給装置に関する。
【背景技術】
【０００２】
最近の携帯電話を始めとする携帯端末の機能の１つとして、携帯端末のユーザが、待ち受け画面（壁紙）などに表示する画像を自己の好みにより選択できるという機能がある。
【０００３】
このような、待ち受け画面などに表示する画像を携帯端末に供給する技術が、たとえば特開２００２−９４９１９号公報（特許文献１）、特開２００１−３４５８９６号公報（特許文献２）に開示されている。
【０００４】
特許文献１に開示された携帯電話用画像情報供給装置は、画像情報を入力するための画像情報入力装置と、その画像情報入力装置により入力された画像情報を表示するための表示装置と、画像情報入力装置により入力された画像情報を記憶するための画像情報記憶装置と、画像情報記憶装置により記憶された画像情報を、携帯電話に適合するファイルに変換する画像情報変換装置と、携帯電話の外部接続端子に接続するためのコネクタと、画像情報変換装置により変換された画像情報を、コネクタを介して携帯電話内部のメモリへ書き込むための画像情報書き込み装置とを含む。この公報に開示された発明によると、ユーザは、極めて簡易に所望の画像情報を入力し、オリジナルの画像情報を待ち受け画面や背景画面として携帯電話に取りこむことができる。
【０００５】
特許文献２に開示された画面作成装置は、移動通信端末の機種情報から、機種別パラメータデータベースに予め記録された該移動通信端末に対応する機種別パラメータを読み出す機種別パラメータ抽出装置と、待ち受け画面の元画像を、待ち受け画面作成装置の外部から取り込む画像抽出処理装置と、画像抽出処理装置の取り込んだ待ち受け画面の元画像を、機種別パラメータ抽出装置の読み出した機種別パラメータに従い、機種別の待ち受け画面に対応した画像に変換して表示する画像変換処理装置と、変換した待ち受け画面を、移動通信端末へ送信する通信装置とを含む。この公報に開示された発明によると、待ち受け画面作成装置のユーザは、待ち受け画面作成装置に自分の好みの画像を取り込んで、自分の使用している移動通信端末の機種を設定するだけで、容易に自分の使用している機種に合致した待ち受け画面を入手することが可能となる。従って、利用者の利便性を上げると同時に、待ち受け画面作成装置を設置した店舗は、集客率を上げることができる。
【特許文献１】特開２００２−９４９１９号公報
【特許文献２】特開２００１−３４５８９６号公報
【発明の開示】
【発明が解決しようとする課題】
【０００６】
しかしながら、特許文献１に開示された携帯電話用画像情報供給装置では、携帯電話のユーザが画像を携帯電話に取り込むためには、画像を供給する専用の装置を設け、その装置に携帯電話をコネクタで接続する必要がある。このため、携帯電話のユーザが待ち受け画面を携帯電話に容易に取り込むことはできない。さらに、画像情報供給装置に取り込んだ画像のままでは携帯電話で表示ができず、サイズやフォーマットを携帯電話に適合する態様へ変換する必要がある。このため、携帯電話の機種をユーザに選択させるなど、機種を判別する手段を設ける必要がある。
【０００７】
また、特許文献２に開示された画面作成装置では、移動通信端末のユーザが画像を移動通信端末に取り込むためには、移動通信端末のユーザがサーバにアクセスして蓄積された画像をダウンロードする必要がある。このため、移動通信端末のユーザが待ち受け画面を移動通信端末に容易に取り込むことはできない。さらに、特許文献１と同様に、画面作成装置に取り込んだ画像のままでは移動通信端末で表示ができず、サイズやフォーマットを移動通信端末に適合する態様へ変換する必要がある。このため、移動通信端末の機種をユーザに選択させるなど、機種を判別する手段を設ける必要がある。
【０００８】
本発明は、上述の問題点を解決するためになされたものであって、その目的は、携帯端末のユーザが自己の好みの画像を携帯端末に容易に取り込むことができる画像供給装置を提供することである。
【課題を解決するための手段】
【０００９】
第１の発明に係る画像供給装置は、携帯端末を特定するための特定手段と、供給される画像のサイズおよびフォーマットの少なくともいずれかを予め定められた唯一の態様に変換するための変換手段と、特定手段により特定された携帯端末に変換された画像を送信するための送信手段とを含む。
【００１０】
第１の発明によると、変換手段は、供給される画像のサイズおよびフォーマットの少なくともいずれかを予め定められた唯一の態様に変換する。送信手段は、特定手段により特定された携帯端末に変換された画像を送信する。これにより、画像供給装置のユーザは変換される画像のサイズ（たとえばＱＶＧＡサイズ）およびフォーマット（たとえばＪＰＥＧフォーマット）の少なくともいずれかを予め設定しておけば、画像を取り込む際に機種選択の必要もなく、携帯端末に画像を容易に取り込むことができる。その結果、画像供給装置と携帯端末のユーザの利便性を上げることができる。また、ファクシミリ装置や複合機に、上記構成のうちの特定手段、通信手段をさらに設けるだけで画像供給装置を構成することができ、低コストで画像供給装置を提供できる。その結果、携帯端末のユーザが自己の好みの画像を、ユーザが携帯端末の機種選択をする必要もなく携帯端末に容易に取り込むことができる画像供給装置を低コストで提供できる。
【００１１】
第２の発明に係る画像供給装置においては、第１の発明の構成に加え、変換手段は、供給される画像のフォーマットを、ＪＰＥＧフォーマットに変換するための手段を含む。
【００１２】
第２の発明によると、変換手段により、携帯端末に供給される画像のフォーマットが、ＪＰＥＧフォーマットに変換される。ＪＰＥＧフォーマットは、多くの携帯端末で表示可能なフォーマットであるので、これにより、携帯端末の機種（特に抽出可能な画像フォーマット）を判別しなくとも、多くの携帯端末で表示できる画像を供給することができる。その結果、画像供給装置の操作性が向上する。また、画像供給装置は、携帯端末の機種を判別する手段も、さまざまな画像フォーマットへの変換手段も必要としないため、低コストで画像供給装置を提供できる。
【００１３】
第３の発明に係る画像供給装置においては、第１または第２の発明の構成に加え、変換手段は、供給される画像のサイズを、ＱＶＧＡサイズに変換するための手段を含む。
【００１４】
第３の発明によると、変換手段は、供給される画像のサイズを、ＱＶＧＡサイズに変換する。ＱＶＧＡサイズは、多くの携帯端末で受信および表示が可能なサイズであるので、これにより、携帯端末の機種（特に画面の大きさ）を判別しなくとも、多くの携帯端末での受信および表示できる画像を供給することができる。その結果、画像供給装置の操作性が向上する。また、画像供給装置においては、携帯端末の機種を判別する手段も、さまざまな画像サイズへの変換手段も必要としないため、低コストで画像供給装置を提供できる。
【００１５】
第４の発明に係る画像供給装置は、第１〜３の発明のいずれかの発明の構成に加え、特定手段は、電子メールアドレスによって携帯端末を特定するための手段を含む。
【００１６】
第４の発明によると、特定手段は、電子メールアドレスによって携帯端末を特定する。これにより、ユーザは携帯端末にコネクタをつける必要も、サーバにアクセスする必要もなく、画像を取り込む携帯端末を特定できる。その結果、画像供給装置や携帯端末のユーザの利便性を上げることができる。
【００１７】
第５の発明に係る画像供給装置においては、第４の発明の構成に加え、特定手段は、携帯端末のユーザにより再入力された電子メールアドレスによって携帯端末を特定するための手段を含む。
【００１８】
第５の発明によると、特定手段は、携帯端末のユーザにより再入力された電子メールアドレスによって携帯端末を特定する。これにより、たとえば確認メールが受信できない携帯端末のユーザが、入力した電子メールアドレスを確認する。入力ミスがあると、ユーザは正しい電子メールアドレスを再入力する。その結果、ユーザの入力ミスによる誤送信を防ぐことができる。
【００１９】
第６の発明に係る画像供給装置においては、第４の発明の構成に加え、特定手段は、電子メールアドレスに確認メールを送信したことに応答して、確認メールが送信できなかったという返信（不達メール）を受信した場合において、携帯端末のユーザにより再入力された電子メールアドレスによって携帯端末を特定するための手段を含む。
【００２０】
第６の発明によると、特定手段は、不達メールを受信した場合において、携帯端末のユーザにより再入力された電子メールアドレスによって携帯端末を特定する。これにより、携帯端末を特定しない電子メールアドレスを入力したことによる不送信を防ぐことが可能となる。その結果、ユーザの入力ミスにより画像が送信されない状況を防ぐことができる。
【００２１】
第７の発明に係る画像供給装置においては、第１〜６の発明のいずれかの発明の構成に加え、送信手段は、変換された画像が添付された電子メールを送信することにより、画像を送信するための手段を含む。
【００２２】
第７の発明によると、送信手段により、変換された画像が添付された電子メールが送信されるので、電子メールを受信するだけで携帯端末に画像を取り込むことが可能となる。また、画像供給装置に携帯端末専用の通信手段を設ける必要がなく低コストで構成できる。これにより、ユーザは画像を得るために機種選択やサーバ接続などの操作をする必要がなくなる。その結果、ユーザの操作を容易にすることができる。
【００２３】
第８の発明に係る画像供給装置は、第１〜７の発明のいずれかの発明の構成に加え、画像を抽出するための抽出手段をさらに含む。
【００２４】
第８の発明によると、抽出手段は、画像を抽出する。これにより、ユーザは自己の好みの画像を抽出することができる。その結果、携帯端末のユーザの利便性が向上する。
【００２５】
第９の発明に係る画像供給装置においては、第８の発明の構成に加え、抽出手段は、記録媒体から画像を抽出するための手段を含む。
【００２６】
第９の発明によると、抽出手段は、記録媒体から画像を抽出する。これにより、ユーザは、携帯端末とはデータの送受が直接的に不可能であるため画像を取得することができなかった記録媒体からも画像を取得することができる。その結果、携帯端末のユーザの利便性が向上する。
【００２７】
第１０の発明に係る画像供給装置においては、第９の発明の構成に加え、記録媒体は、メモリカードである。
【００２８】
第１０の発明によると、抽出手段は、メモリカードから画像を抽出する。これにより、ユーザは、携帯端末とはデータの送受が直接的に不可能であるため画像を得ることができなかったメモリカードからも画像を取得することができる。その結果、携帯端末のユーザの利便性が向上する。
【００２９】
第１１の発明に係る画像供給装置においては、第８の発明の構成に加え、抽出手段は、スキャナにより画像を抽出するための手段を含む。
【００３０】
第１１の発明によると、抽出手段は、スキャナにより画像を抽出する。これにより、ユーザは、携帯端末とはデータの送受が直接的に不可能であるため画像を得ることができなかったスキャナにより画像を取得することができる。その結果、携帯端末のユーザの利便性が向上する。
【００３１】
第１２の発明に係る画像供給装置においては、第１１の発明の構成に加え、抽出手段は、スキャナに抽出する画像がセットされたことが完了したことに応答して、画像の抽出を開始するための手段を含む。
【００３２】
第１２の発明によると、抽出手段は、抽出する画像がスキャナにセットされたことが完了したことに応答して、画像の抽出を開始する。これにより、ユーザが原稿をスキャナにセットするだけで画像を抽出できる。その結果、携帯端末のユーザの利便性が向上する。
【００３３】
第１３の発明に係る画像供給装置においては、第８〜１１の発明のいずれかの発明の構成に加え、抽出手段は、画像供給装置に設けられたボタンおよびソフトキーの少なくとも一方に対する指示に応答して、画像の抽出を開始するための手段を含む。
【００３４】
第１３の発明によると、抽出手段は、画像供給装置に設けられたボタンおよびソフトキーの少なくとも一方に対する指示に応答して、画像の抽出を開始する。これにより、原稿やメモリカードをセットしてボタンを押すというユーザの簡単な操作により画像を抽出できる。その結果、携帯端末のユーザの利便性が向上する。
【００３５】
第１４の発明に係る画像供給装置は、携帯端末で表示する画像を供給する装置であって、携帯端末を特定するための特定手段と、供給される画像のサイズおよびフォーマットの少なくともいずれかを予め定められた唯一の態様に変換するための変換手段と、変換手段に接続され、特定された携帯端末に変換された画像を送信するための送信手段と、画像を抽出するための抽出手段とを含む。抽出手段は、スキャナにより画像を抽出するための手段と、抽出する画像がスキャナにセットされたことに応答して、画像の抽出を開始するための手段を含む。この装置は、画像の抽出が開始されると、自動的に、画像を抽出して抽出された画像を変換して特定された携帯端末に変換された画像を送信するように抽出手段、変換手段、特定手段、送信手段を制御するための制御手段をさらに含む。
【００３６】
第１４の発明によると、制御手段は、原稿がスキャナにセットされ画像の抽出が開始されると、自動的に、画像を抽出して抽出された画像を変換して特定された携帯端末に変換された画像を送信するように抽出手段、変換手段、特定手段、送信手段を制御する。これにより、ユーザは原稿をスキャナにセットするだけで自動的に画像を携帯端末に取り込むことができる。その結果、ユーザの利便性が向上する。
【００３７】
第１５の発明に係る画像供給装置は、携帯端末で表示する画像を供給する装置であって、携帯端末を特定するための特定手段と、供給される画像のサイズおよびフォーマットの少なくともいずれかを予め定められた唯一の態様に変換するための変換手段と、変換手段に接続され、特定された携帯端末に変換された画像を送信するための送信手段と、画像を抽出するための抽出手段とを含む。抽出手段は、記録媒体から画像を抽出するための手段を含む。記録媒体には、メモリカードを含む。抽出手段は、スキャナにより画像を抽出するための手段を含む。抽出手段は、画像供給装置に設けられたボタンおよびソフトキーの少なくとも一方に対する指示に応答して、画像の抽出を開始するための手段を含む。この装置は、画像の抽出が開始されると、自動的に、画像を抽出して抽出された画像を変換して特定された携帯端末に変換された画像を送信するように抽出手段、変換手段、特定手段、送信手段を制御するための制御手段をさらに含む。
【００３８】
第１５の発明によると、制御手段は、ボタンおよびソフトキーの少なくとも一方に対する指示に応答して画像の抽出が開始されると、自動的に、画像を抽出して抽出された画像を変換して特定された携帯端末に変換された画像を送信するように抽出手段、変換手段、特定手段、送信手段を制御する。これにより、ユーザは原稿やメモリカードをセットしてボタンを押すという簡単な操作で自動的に画像を携帯端末に取り込むことができる。その結果、ユーザの利便性が向上する。
【００３９】
第１６の発明に係る画像供給装置は、第１〜１５の発明のいずれかの発明の構成に加え、画像を表示するための表示手段と、表示された画像を携帯端末に送信するか否かを選択するための選択手段とをさらに含む。
【００４０】
第１６の発明によると、表示手段は、画像を表示する。選択手段は、表示された画像を携帯端末に送信するか否かを選択する。これにより、ユーザは所望の画像だけを得ることができるようになり、必要のない画像を取り込むことがなくなり、メール通信にかかるコストを抑えることができる。その結果、ユーザの満足度を上げることができる。
【００４１】
第１７の発明に係る画像供給装においては、第１〜１５の発明のいずれかの発明の構成に加え、携帯端末は、携帯電話である。
【００４２】
第１７の発明によると、特定手段は、携帯電話を特定する。送信手段は、特定手段により特定された携帯電話に変換された画像を送信する。これにより、多くの人々が所持している携帯電話に画像を供給することができる。
【発明を実施するための最良の形態】
【００４３】
以下、図面を参照しつつ、本発明の実施の形態について説明する。
以下の説明では、同一の部品には同一の符号を付してある。それらの名称および機能も同一である。したがって、それらについての詳細な説明は繰り返さない。尚、以下の説明においては、携帯端末の一例が携帯電話であるとして説明する。他の携帯端末の一例としてＰＤＡ（Personal Digital Assistant）がある。
＜第１の実施の形態＞
図１を参照して、本実施の形態に係る画像供給装置１００について説明する。
【００４４】
画像供給装置１００は、スキャニングにより画像を抽出する画像抽出部１０２と、画像抽出部で抽出された画像をＪＰＥＧフォーマット、ＱＶＧＡサイズの画像に変換する画像変換部１０４と、スキャナからの画像の抽出を開始させる指示や電子メールアドレス等を入力するボタンやソフトキーを備えた入力部１０６と、画像を添付ファイルとして携帯電話１１０へ電子メールで送信し、確認メールを送信し、不達メールを受信する通信部１０８と、この画像供給装置１００の全体を制御する制御部１２０とを含む。これらの画像抽出部１０２、画像変換部１０４、入力部１０６、通信部１０８、および制御部１２０は、互いにデータバス１１２で接続されている。
【００４５】
制御部１２０は、ＣＰＵ（Central Processing Unit）と、メモリとを含む。尚、画像抽出部１０２と、画像変換部１０４と、入力部１０６は、これらを備えた自宅にあるファクシミリ装置や複合機を利用してもよい。
【００４６】
図２を参照して、画像供給装置１００で実行されるプログラムの制御構造について説明する。
【００４７】
ステップ（以下ステップをＳと略す）１０にて、制御部１２０は、入力部１０６においてスキャナからの携帯電話１１０への画像取り込みの開始の指示がユーザにより入力されたか否かを判断する。画像取り込みの開始の指示が入力されると（Ｓ１０にてＹＥＳ）、処理はＳ１２に移される。もしそうでないと（Ｓ１０にてＮＯ）、処理はＳ１０に戻される。
【００４８】
Ｓ１２にて、制御部１２０は、変換された画像を送信する携帯電話１１０の電子メールアドレスが既に入力されているか否かを判断する。この判断は、制御部１２０のメモリ内にユーザが既に入力した電子メールアドレスが記憶されているか否かにより判断する。入力されていなければ（Ｓ１２にてＮＯ）、処理はＳ１４へ移される。もしそうでないと（Ｓ１２にてＹＥＳ）、処理はＳ１６へ移される。
【００４９】
Ｓ１６にて、制御部１２０は、入力されているメールアドレスを変更するか否かを判断する。この判断は、メールアドレスを変更するか否かについてのユーザの指示に基づいて行われる。メールアドレスを変更すると判断すると（Ｓ１４にてＹＥＳ）、処理はＳ１４に移される。もしそうでないと（Ｓ１４にてＮＯ）、処理はＳ２８に移される。
【００５０】
Ｓ２８にて、制御部１２０は、画像抽出部１０２のスキャナから画像を抽出する。尚、画像の抽出は、抽出する画像がスキャナにセットされたことが完了したことに応答して開始される。また、入力部１０６に備えられたボタンやソフトキーへのユーザの指示に応答して開始されるとしてもよい。
【００５１】
Ｓ３０にて、制御部１２０は、画像変換部１０４により抽出された画像を、ＪＰＥＧフォーマット、ＱＶＧＡサイズに変換する。
【００５２】
Ｓ３２にて、制御部１２０は、変換された画像を添付した電子メールを、Ｓ１４にて入力されたメールアドレスに通信部１０８から送信する。
【００５３】
図３を参照して、メールアドレスが制御部１２０のメモリに記憶されていない場合や、メールアドレスが変更される場合のメールアドレス入力処理（図１のＳ１４）について説明する。
【００５４】
Ｓ１８にて、制御部１２０は、入力部１０６にメールアドレスが入力されたか否かを判断する。この判断は、携帯電話１１０の電子メールアドレスの入力を完了した旨の指示が、画像供給装置１００のユーザにより入力部１０６に入力されたか否かで行われる。メールアドレスが入力された場合は（Ｓ１８にてＹＥＳ）、処理はＳ２０に移される。もしそうでないと（Ｓ１８にてＮＯ）、処理はＳ１８に戻される。
【００５５】
Ｓ２０にて、制御部１２０は、確認メールを送信するか否かを判断する。この判断は、確認メールを送信するか否かについてのユーザの指示に基づいて行われる。尚、確認メールとは、メールアドレスが正しく入力されているか否かを確認するために送信するメールである。確認メールを送信する場合は（Ｓ２０にてＹＥＳ）、処理はＳ２２に移される。もしそうでないと（Ｓ２０にてＮＯ）、メールアドレス入力処理（図１のＳ１４）は終了し、処理は図１のＳ２８に移される。
【００５６】
Ｓ２２にて、制御部１２０は、確認メールを送信する。Ｓ２４にて、制御部１２０は、不達メールを受信したか否かを判断する。尚、不達メールとは、確認メールを送信できなかった場合に、メールサーバから返信されるメールである。不達メールを受信していない場合は（Ｓ２４にてＮＯ）、処理はＳ２６へ移される。もしそうでないと（Ｓ２４にてＹＥＳ）、処理はＳ１８に戻される。
【００５７】
Ｓ２６にて、制御部１２０は、メールアドレスを再入力するか否かを判断する。
この判断は、確認メールを受信できなかった携帯電話１１０のユーザの指示に基づいて行われる。再入力する場合は（Ｓ２６にてＹＥＳ）、処理はＳ１８に戻される。もしそうでないと（Ｓ２６にてＮＯ）、メールアドレス入力処理（図１にてＳ１４）は終了し、処理は図１のＳ２８へ移される。
【００５８】
以上のような構造およびフローチャートに基づく、画像供給装置１００の動作について説明する。
【００５９】
画像供給装置１００のユーザにより画像取り込みの開始の指示が入力部１０６から入力されると（Ｓ１０にてＹＥＳ）、メールアドレスが入力されていない場合には（Ｓ１２にてＮＯ）、画像供給装置１００はユーザによりメールアドレスが入力されるまで待つ（Ｓ１８にてＮＯ）。
【００６０】
メールアドレスが入力された場合（Ｓ１８にてＹＥＳ）であって、ユーザが確認メールを送信すると指示した場合（Ｓ２０にてＹＥＳ）、画像供給装置１００は入力されたメールアドレスに確認メールを送信する（Ｓ２２）。その後、画像供給装置１００が不達メールを受信せず（Ｓ２４にてＮＯ）、ユーザがメールアドレスの再入力をしないことを指示した場合（Ｓ２６にてＮＯ）、画像供給装置１００は画像を抽出する処理を行う。画像抽出処理は、スキャナである画像抽出部１０２にユーザが原稿をセットすることにより開始される（Ｓ２８）。抽出が完了すると、画像供給装置１００は、画像抽出部１０２にて抽出された画像をＪＰＥＧフォーマット、ＱＶＧＡサイズへ画像変換部１０４により変換する（Ｓ３０）。変換が完了すると、画像供給装置１００は、変換された画像を添付した電子メールを、入力されたメールアドレスに通信部１０８から送信する（Ｓ３２）。
【００６１】
以上のようにして、本実施の形態に係る画像供給装置は、抽出した画像を唯一の態様（本実施の形態においては、最も多くの種類の携帯電話に適用可能なＪＰＥＧフォーマット、ＱＶＧＡサイズ）に変換している。このためユーザは携帯電話の機種を判別する作業をすることなく容易に画像を取り込むことができる。また、画像供給装置は、携帯電話の機種を判別する手段も、さまざまな画像フォーマット、画像サイズへの変換手段も必要としない。このため画像供給装置を低コストで構成できる。また、画像供給装置は、ユーザがメールアドレスを入力し、原稿をスキャナにセットするだけで、ユーザの好みの画像を携帯電話に送信する。また、画像供給装置は、ユーザのミスによる誤送信を防止し、携帯電話を特定しない電子メールアドレスを入力したことによる不送信を防止することもできる。また、携帯電話のユーザは、携帯電話が電子メールを受信するだけで、自己の好みの画像を携帯電話に容易に受信して表示することができる。
【００６２】
さらに、図１において、画像抽出部１０２と、画像変換部１０４と、入力部１０６について、これらを備えた自宅にあるファクシミリ装置や複合機を利用すれば、低コストで画像供給装置を供給できる。その結果、携帯電話のユーザが自己の好みの画像を容易に携帯電話に取り込むことができる画像供給装置を、低コストで提供することができる。
＜第２の実施の形態＞
以下、本発明の第２の実施の形態について説明する。
【００６３】
図４を参照して、本実施の形態に係る画像供給装置２００について説明する。
画像供給装置２００は、スキャナおよびメモリカードの少なくとも一方から画像を抽出する画像抽出部２０２と、画像抽出部で抽出された画像をＪＰＥＧフォーマット、ＱＶＧＡサイズの画像に変換する画像変換部１０４と、画像抽出部や画像変換部によって得られた画像を表示する画像表示部２０４と、入力部１０６と、通信部１０８と、制御部１２０とを含み、これらはデータバス１１２により接続される。
【００６４】
図５を参照して、画像供給装置２００で実行されるプログラムの制御構造について説明する。尚、図５に示すフローチャートの中で、図２と同じ処理については同じステップ番号を付してある。それらの処理も同じである。従って、それらについての詳細な説明は、繰り返さない。
【００６５】
Ｓ４０にて、制御部１２０は、画像をスキャナから抽出するかメモリカードから抽出するかを判断する。この判断は、ユーザの指示に基づいて行われる。スキャナから抽出すると判断した場合は、処理はＳ２８へ移される。メモリカードから抽出すると判断した場合は、処理はＳ４６へ移される。
【００６６】
Ｓ２８にて、制御部１２０は、画像抽出部１０２のスキャナから画像を抽出する。
Ｓ３０にて、制御部１２０は、抽出された画像を画像変換部１０４によりＪＰＥＧフォーマット、ＱＶＧＡサイズに変換する。
【００６７】
Ｓ４２にて、制御部１２０は、変換した画像を画像表示部２０３に表示する。尚、本実施の形態においては、変換された画像を表示して送信するか否かを判断するが、変換される前の抽出画像を表示部２０４に表示して送信するか否か判断するようにしてもよい。
【００６８】
Ｓ４４にて、制御部１２０は、表示された画像を送信するか否かを判断する。この判断は、表示された画像を送信するか否かについてのユーザの指示に基づいて行われる。送信する場合は（Ｓ４４にてＹＥＳ）、処理はＳ３２に移される。もしそうでないと（Ｓ４４にてＮＯ）、送信せずに処理は終了する。
【００６９】
Ｓ３２にて、変換された画像を添付した電子メールを、Ｓ１４にて入力されたメールアドレスに通信部１０８から送信し、処理は終了する。
【００７０】
Ｓ４６にて、制御部１２０は、画像抽出部２０２からメモリカードの画像データを抽出する。尚、画像データの抽出は、入力部１０６に備えられたボタンやソフトキーへのユーザの指示に応答して開始される。
【００７１】
Ｓ４８にて、制御部１２０は、画像を画像表示部２０４に一覧として表示する。Ｓ５０にて、制御部１２０は、表示された画像の中から変換する画像が選択されたか否かを判断する。選択された場合は（Ｓ５０にてＹＥＳ）、処理はＳ３０に移される。もしそうでないと（Ｓ５０にてＮＯ）、処理はＳ５０に戻される。
【００７２】
Ｓ３０にて、制御部１２０は、選択された画像を画像変換部１０４によりＪＰＥＧフォーマット、ＱＶＧＡサイズに変換する。Ｓ３２にて、変換された画像を添付した電子メールを、Ｓ１４にて入力されたメールアドレスに通信部１０８から送信し、処理は終了する。
【００７３】
以上のような構造およびフローチャートに基づく、画像供給装置２００の動作について説明する。
【００７４】
画像供給装置２００のユーザによりスキャナによる画像取り込みの指示が入力部１０６から入力されると（Ｓ４０にてスキャナ）、画像供給装置２００は、抽出する画像がスキャナにセットされたことが完了したことに応答して画像の抽出を開始する（Ｓ２８）。
【００７５】
抽出が完了すると、画像変換部１０４にて抽出された画像がＪＰＥＧフォーマット、ＱＶＧＡサイズに画像変換部１０４により変換される（Ｓ３０）。変換が完了すると、画像供給装置２００は、変換された画像を画像表示部２０４に表示する（Ｓ４２）。ユーザが表示された画像を確認し、画像を送信することが指示されると（Ｓ４４にてＹＥＳ）、画像供給装置２００は、変換された画像を添付した電子メールを、入力されたメールアドレスに、通信部１０８を用いて送信する（Ｓ３２）。
【００７６】
一方、画像供給装置２００のユーザにより、メモリカードによる画像取り込みの指示が入力部１０６から入力されると（Ｓ４０にてメモリカード）、入力部１０６に備えられたボタンやソフトキーへの指示に応答して画像の抽出が開始される（Ｓ４６）。抽出が完了すると、画像供給装置２００は、抽出した画像を画像表示部に一覧として表示する（Ｓ４８）。一覧として表示された画像の中から変換する画像をユーザが選択すると（Ｓ５０）、選択された画像がＪＰＥＧフォーマット、ＱＶＧＡサイズに画像変換部１０４により変換される（Ｓ３０）。画像供給装置２００は、変換された画像を添付した電子メールを、入力されたメールアドレスに、通信部１０８を用いて送信する（Ｓ３２）。
【００７７】
以上のようにして、本実施の形態に係る画像供給装置２００は、携帯電話１１０とはデータの送受が直接的に不可能であるため画像を取得することができなかったメモリカードから画像を取得することができる。その結果、直接的に画像を得ることができなかったメモリカードから画像を得ることができる画像供給装置を提供することができる。
【００７８】
また、変換した画像や抽出した画像を一覧として表示して送信するか否かをユーザが選択できるため、ユーザは所望の画像だけを取得することができるようになる。このため、必要のない画像を取り込むことがなくなり、メール通信にかかるコストを抑えることができ、ユーザの満足度を上げることができる。
＜第２の実施の形態の変形例（その１）＞
第２の実施の形態においては、スキャナから画像を取り込む場合（Ｓ４０にてスキャナ）、図５のＳ４４において表示された画像を送信するか否かを判断している。
【００７９】
これに対し、本変形例においては、制御部１２０は、Ｓ４４の処理を行わないようにしてもよい。すなわち、図５のＳ２８において、制御部１２０は、原稿がスキャナにセットされたことが完了したことにより画像の抽出を開始する。そして、自動的に、画像を抽出し（Ｓ２８）、画像を変換し（Ｓ３０）変換された画像を携帯電話１１０に送信（Ｓ３２）するようにしてもよい。
【００８０】
本変形例に係る画像供給装置は、原稿をスキャナにセットするだけで自動的に画像携帯電話へ送信する。これにより、第２の実施の形態よりさらに容易に携帯電話に取り込むことができる画像を供給する画像供給装置を提供できる。
＜第２の実施の形態の変形例（その２）＞
また、第２の実施の形態においては、図５のＳ４８においてＳ５０にて表示された画像を送信するか否かを判断している。
【００８１】
これに対し、本変形例においては、制御部１２０は、Ｓ５０の処理を行わないようにしてもよい。すなわち、図５のＳ４６において、制御部１２０は、入力部１０６のボタンおよびソフトキーの少なくとも一方に対する指示に応答して画像の抽出を開始する。そして、メモリカードに保存された画像のいずれか１画像（たとえば保存履歴が最も古い画像）について、自動的に、画像を抽出し（Ｓ４６）、画像を変換し（Ｓ３０）、変換された画像を携帯電話１１０に送信（Ｓ３２）するようにしてもよい。
【００８２】
本変形例に係る画像供給装置は、メモリカードをセットしてボタンを押すという簡単な操作で自動的に画像を携帯電話に送信する。これにより、第２の実施の形態よりさらに容易に携帯電話に取り込むことができる画像を供給する画像供給装置を提供できる。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８４】
【図１】本発明の第１の実施の形態の構成を説明するブロック図である。
【図２】本発明の第１の実施の形態の画像供給装置で実行されるプログラムの制御構造を示すフローチャートである。
【図３】本発明の第１および第２の実施の形態の画像供給装置で実行されるプログラムの制御構造を示すフローチャートである。
【図４】本発明の第２の実施の形態の構成を説明するブロック図である。
【図５】本発明の第２の実施の形態の画像供給装置で実行されるプログラムの制御構造を示すフローチャートである。
【符号の説明】
【００８５】
１００  画像供給装置、１０２  画像抽出部、１０４  画像変換部、１０６  入力部、１０８  通信部、１１０  携帯電話、１１２  データバス、１２０  制御部、２００  画像供給装置、２０２  画像抽出部、２０４  画像表示部。
【図１】
2006318122.tif 000003
【図２】
2006318122.tif 000004
【図３】
2006318122.tif 000005
【図４】
2006318122.tif 000006
【図５】
2006318122.tif 000007